(57)【要約】【課題】  簡易な構成で、刷版を的確に版胴に給送できる刷版給送装置とする。【解決手段】  版胴（２）の軸芯と平行な旋回中心を基準に旋回され、かつ、刷版（５）と共に版胴（２）の方向に進出される保持ケース（８）と、この保持ケース（８）中で刷版（５）を挾圧保持する摩擦ローラー対（１０）と、印刷ユニット（１）側に設けられ、刷版（５）を保持ケース（８）内に仮置きする際にその先端を規制する基準ストッパー手段（１５）と、を有する刷版給送装置である。【選択図】  図１
2007196407.tif 000002
【特許請求の範囲】
【請求項１】
印刷ユニット（１）内の版胴（２）に外部から刷版（５）を給送する刷版給送装置において、版胴（２）の軸芯と平行な旋回中心（１２）を基準に旋回され、かつ、刷版（５）と共に版胴（２）の方向に進出される保持ケース（８）と、該保持ケース（８）中で刷版（５）を挟圧保持する摩擦ローラー対（１０）と、印刷ユニット（１）側に設けられ、刷版（５）を保持ケース（８）中に仮置きする際にその先端を規制する基準ストッパー手段（１５）と、を有する刷版給送装置。
【発明の詳細な説明】
【技術分野】
【０００１】
本発明は印刷機に関し、特に、版胴に刷版を給送する刷版給送装置に関する。
【背景技術】
【０００２】
印刷機、特に多色刷の枚葉印刷機にあっては、印刷前準備時間を可能な限り短縮することが要請されており、これに従って、多数の印刷ユニットの版胴に刷版を手際良く装着する技術にも多様な提案がなされている。
【０００３】
【特許文献１】特開２００５−４１２０３号公報
【特許文献２】特開平１１−２６２９９８号公報
【０００４】
特許文献１には、刷版ストレージ中の一部材である支持部材がリニアに運動可能とされた技術が開示されている。しかしこの装置は、刷版ストレージ本体と支持部材との２重構造であるため、構成が複雑で、大がかりなものとなってしまう。
また、特許文献２には、刷版供給装置に刷版の仮位置決め機能を具有させると共に、版胴側にもこの仮位置決めを検知、修正させるセンサ手段を配した技術が開示されている。しかしこの技術も、運動する刷版供給装置を仮位置決めの始点とするため、複雑で、神経質なものとなってしまう。
【発明の開示】
【発明が解決しようとする課題】
【０００５】
本発明は上記した問題に鑑みてなされ、進歩した刷版給送装置を提供するもので、その目的は、簡易な構成で、刷版を的確に版胴に給送できるようにすることにある。
【課題を解決するための手段】
【０００６】
そしてこのために、本発明に係る刷版給送装置は、版胴（２）の軸芯と平行な旋回中心（１２）を基準に旋回され、かつ、刷版（５）と共に版胴（２）の方向に進出される保持ケース（８）と、この保持ケース中で刷版（５）を挟圧保持する摩擦ローラー対（１０）と、印刷ユニット（１）側に設けられ、刷版（５）を保持ケース（８）中に仮置きする際にその先端を規制する基準ストッパー（１５）と、を有することを特徴とする。
【発明の効果】
【０００７】
刷版（５）を保持する保持ケース（８）は、その内部の摩擦ローラー対（１０）によって刷版（５）を挟圧保持するので、構造を非常に簡略化することができる。また、刷版（５）の先端を規制する基準ストッパー手段（１５）を印刷ユニット（１）側、すなわち絶対静止側に置いているので、位置合わせも正確であり、保持ケース（８）の旋回、そして進出動作により、刷版（５）を的確に版胴（２）に給送することができる。
【発明を実施するための最良の形態】
【０００８】
版胴（２）のくわえ元側クランプ装置（３）に、印刷ユニット（１）の外部から刷版（５）を給送するのが本発明に係る刷版給送装置であり、印刷ユニット（１）の保護カバー（７）に隣接して設けられる保持ケース（８）は、その内部に刷版（５）を挟圧保持する摩擦ローラー対（１０）を有している。
保持ケース（８）は、その両側に係設される１対の旋回用シリンダー（１３）及び進出用シリンダー（１４）により、版胴（２）の軸芯と平行な旋回中心（１２）を基準に旋回され、かつ、版胴（２）の方向に進出するようになっている。
また、刷版（５）を保持ケース（８）中に仮置きする際にその先端を規制するため、印刷ユニット（１）側に基準ストッパー手段（１５）が設けられ、絶対静止の位置決め基準となっている。
【実施例】
【０００９】
以下、図面を参照して、本発明に係る刷版給送装置の一実施例につき詳細に説明する。
図１は装置の概略側面図であり、多色刷の枚葉印刷機は多数の印刷ユニット（１）を有しているが、図面ではそのうちの一つを代表させている。また、各々の印刷ユニット（１）には、図示した版胴（２）の他に、圧胴やブランケット胴といった幾多の要素が存在するが、これらも図示を省略している。
版胴（２）は、その外周の凹部に１対のくわえ元側クランプ装置（４）及びくわえ尻側クランプ装置（５）を有しており、これらによって刷版（５）が外周に張設されることとなる。また、版胴（２）の軸端は印刷機本体のサイドフレーム（６）によって回転自在に支承されている。
【００１０】
各々の印刷ユニット（１）には、その内部の胴群やローラー群への不意のアクセスを防止するため、開閉可能な保護カバー（７）を設けることが安全規格の上からも求められている。そして、本発明装置を構成する刷版（５）の保持ケース（８）は、この保護カバー（７）とは別体であるものの、隣接して設けられる。
可撓性で平板状の刷版（５）を版胴（２）への装着のために準備しておく保持ケース（８）は、適宜本数のガイドローラー（９）を有すると共に、対接する摩擦ローラー対（１０）を有しており、刷版（５）を挾圧保持する。このような摩擦ローラー対（１０）は、その表面が弾性的な材料によって形成されている。
【００１１】
図１の矢印ＩＩ方向から視た正面図である図２にも示すように、レール状のスライドガイド（１１）が保持ケース（８）の両側に設けられており、後述する保持ケース（８）の進出動作の際にガイドの役目を果たす。
また、保持ケース（８）は、版胴（２）の軸芯（図１に垂直な方向である。）に平行な旋回中心（１２）を基準にして旋回可能とされている。この旋回中心（１２）は、具体的には保護カバー（７）に適宜のブラケットを付設する等によって設けられる。
更に保持ケース（８）の両側には、図２に示すように旋回用シリンダー（１３）及び進出用シリンダー（１４）が係設される。これらのシリンダー（１３）、（１４）は伸縮されるエアーシリンダーによって構成されており、両端が各々機体側及び保持ケース（８）側に結節され、結果として保持ケース（８）と一体にリンク機構を構成している。
【００１２】
図１に示すように、刷版（５）の先端の位置決め基準となる基準ストッパー手段（１５）が刷版（５）の横方向（図１の垂直方向である。）に対応して２個所設けられる。このような基準ストッパー手段（１５）は、絶対静止の機体側（サイドフレーム（６）ないしは保護カバー（７））から、適宜のブラケットを延出させ、そこにピン状の部材を刷版（５）の先端のＵカット（位置決め基準となる切り欠きである。）に合わせた間隔で配設されて成るものであり、刷版（５）を準備する際に絶対的な位置基準となるとともに、後述する旋回動作の際には、刷版（５）の先端が容易に外れることとなる。
【００１３】
次に、作用について説明する。可撓性の刷版（５）が保持ケース（８）に差し込まれると、ガイドローラー（９）によって案内されつつ、摩擦ローラー対（１０）間で挾圧保持される。この時、刷版（５）の先端は、絶対静止の基準ストッパー手段（１５）によって正確に位置規制される。言い換えると、保持ケース（８）はその内部の摩擦ローラー対（１０）によって刷版（５）を仮保持するだけであり、先端位置の規制は機体側の基準ストッパー手段（１５）が受け持っているのである。
【００１４】
この後、旋回用シリンダー（１３）が作動して、保持ケース（８）はそのスライドガイド（１１）と共に旋回中心（１２）を基準に旋回される（図３）。この際、刷版（５）の先端はピン状の基準ストッパー手段（１５）から容易に外れることできる。
【００１５】
これに引き続いて、進出用シリンダー（１４）により、スライドガイド（１１）を案内としつつ保持ケース（８）は版胴（２）の方向に進出され、刷版（５）の先端がくわえ元側クランプ装置（３）に差し込まれることとなる。
【産業上の利用可能性】
【００１６】
本発明に係る刷版給送装置は、その構成が極めて簡易で、一連の動作も確実で、刷版の位置決めも的確に行なうことができ、刷版装着作業の自動化に大きく資するものである。
【図面の簡単な説明】
【００１７】
【図１】本発明に係る刷版給送装置の一実施例を示す概略側面図である。
【図２】図１の矢印ＩＩ方向から視た正面図である。
【図３】保持ケースの旋回動作を示す側面図である。
【図４】同じく進出動作を示す側面図である。
【符号の説明】
【００１８】
１          印刷ユニット
２          版胴
３          くわえ元側クランプ装置
４          くわえ尻側クランプ装置
５          刷版
６          サイドフレーム
７          保護カバー
８          保持ケース
９          ガイドローラー
１０        摩擦ローラー対
１１        スライドガイド
１２        旋回中心
１３        旋回用シリンダー
１４        進出用シリンダー
１５        基準ストッパー手段
【図１】
2007196407.tif 000003
【図２】
2007196407.tif 000004
【図３】
2007196407.tif 000005
【図４】
2007196407.tif 000006